(57)【特許請求の範囲】
【請求項１】
0005883867.tif 000081
0005883867.tif 000082
0005883867.tif 000083
0005883867.tif 000084
【請求項２】
前記RIと前記PMIを基地局に送信した後、
前記基地局が前記RIと前記PMIを取得し、
前記RIと前記PMIによって、ダウンリンクプリコーディングを行うことをさらに含む請求項1に記載のチャネル情報の送信方法。
【請求項３】
コードブックスペースは前記移動端末と前記基地局両方に記憶される請求項2に記載のチャネル情報の送信方法。
【請求項４】
前記コードブックは所定のマトリクスM×もう一つのコードブックCという形式で、MとCを掛け算した積は前記コードブックと同価である請求項1に記載のチャネル情報の送信方法。
【請求項５】
前記コードブックの任意の列交換は前記コードブックの同価変換で、前記コードブックの任意の行交換が前記コードブックの同価変換である請求項1に記載のチャネル情報の送信方法。
【請求項６】
前記コードブックの任意の一列×モジュールの値が1の定数係数は、前記コードブックの同価変換である請求項1に記載のチャネル情報の送信方法。
【請求項７】
前記コードブックのすべての列と任意の０でない定数係数を掛け算した積は、前記コードブックと同価である請求項1に記載のチャネル情報の送信方法。
【請求項８】
チャネル情報を取得する第一取得モジュールと、
前記チャネル情報を基づき、コードブックスペースで前記チャネル情報に対応するランクインディケーターRIとプリコーディングマトリクスインディケーターPMIを確定する確定モジュールと、
前記RIと前記PMIを基地局に送信する送信モジュールと、を含み、
前記RIが8の場合、以下の集合
0005883867.tif 000085
0005883867.tif 000086
0005883867.tif 000087
0005883867.tif 000088
【請求項９】
0005883867.tif 000089
0005883867.tif 000090
0005883867.tif 000091
0005883867.tif 000092
【請求項１０】
請求項８に記載の移動端末と請求項９に記載の基地局を含むＬＴＥ−Ａシステム。
【発明の詳細な説明】
【技術分野】
【０００１】
本発明は通信分野に関し、具体的には、チャネル情報の送信方法、端末、基地局及び長期的進化（Long-Term Evolution Advance、LTE-Aと略称）システムである。
【背景技術】
【０００２】
無線通信システムにおいて、送信端と受信側は空間多重方式でアンテナを複数セットすることで、高いレートが得られる。通常の空間多重方式に比べ、進化された技術は受信側がチャネル情報を送信端へフィードバックし、送信端では取得したチャネル情報に基づき、プリコーティング技術を利用し、伝送性能を大幅に高めている。シングルユーザーの多入力多出力（Multi-Input Multi-Output、MIMOと略称）では、チャネル特性ベクトル情報をそのまま使ってプリコーディングを行う。マルチユーザーMIMOの場合、より正確なチャネル情報が要求される。
【０００３】
長期的進化技術（Long Term Evolution、LTEと略称）では、チャネル情報のフィードバックは主に単一のコードブックを通じて行うが、MIMOのプリコーディング技術のパフォーマンスは使用したコードブックのフィードバックの精度に依存する。
関連技術では、コードブックに基づいたチャネル情報の数量化フィードバックの基本原理は以下となる。
【０００４】
0005883867.tif 000002
【０００５】
0005883867.tif 000003
【０００６】
【表１】
0005883867.tif 000004
【０００７】
0005883867.tif 000005
【０００８】
【表２】
0005883867.tif 000006
0005883867.tif 000007
【０００９】
0005883867.tif 000008
【００１０】
前記はコードブックフィードバック技術の基本原理である。実際のシステムの応用において、一部の具体的なパラメーターにも関係する。LTE基準では、チャネル情報をフィードバックする場合の最小単位はサブバンド（Subband）であり、一つのサブバンドが幾つかのリソースブロック（Resource Block、RBと略称）によって構成される。その中、RB毎に複数のリソースエレメント（Resource Element、REと略称）によって構成される。その中、REはLTEシステムにおいての時間周波数リソースの最小単位であり、LTE-AはLTEのリソース表記方法をそのまま使う。ユーザー設備(User Equipment、UEと略称）では、チャネル情報をフィードバックする場合の対象はサブバンド、マルチサブバンド（Multi−Subband）または広帯域（Wideband）となる。
【００１１】
チャネルステータス情報のフィードバックは：チャネルクオリティインディケーション情報（Channel quality indication、CQIと略称）、プリコーディングマトリクスインディケーター（Precoding Matrix Indicator、PMIと略称）とランクインディケーター（Rank Indicator、RIと略称）を含む。
【００１２】
PMI：特性ベクトル情報を表わし、基地局へ送信し、ダウンリンクプリコーディング技術に使う。
RI：スペース独立チャネルの数を記述するため、チャネル応答マトリクスのランクに対応する。開ループ空間多重と閉ループ空間多重モードでは、UEにはRI情報のフィードバックが要求される。ほかのモードの場合は、RI情報のフィードバックが要求されない。チャネルマトリクスのランクはランク数に対応する。
CQI：ダウンリンクチャネルの品質が良いか悪いかを評価するための指標である。３GPP 36-213プロトコルにおいてCQIは0〜15の整数値で表し、それぞれ異なるCQIのレベルを表す。各CQIには、各自の変調方式とMCS（Modulation Code and MCS）を持つ。その中、CQIがPMIとともにフィードバックされることができる。
【００１３】
通信技術の発展に伴い、長期的進化アドバンスシステム（LTE-Adavance）では、周波数スペクトルの効率に対する要求も高くなるので、アンテナを8本に増やした。現在、LTEシステムで、4本アンテナのコードブックでは、8本アンテナを使用したLTE-Aシステムでチャネル情報のフィードバックを実現できない。
【発明の概要】
【００１４】
本発明の主要目的はチャネル情報の送信方法、端末、基地局及びLTE-Aシステムを提供し、前記LTEシステムで、4本アンテナのコードブックでは、8本アンテナを使用したLTE-Aシステムでのチャネル情報のフィードバックを実現できないという問題を解決する。
【００１５】
本発明の一態様によって、チャネル情報の送信方法を提供した。
本発明によるチャネル情報の送信方法は移動端末でチャネル情報を取得し、チャネル情報により、コードブックスペースにてチャネル情報に対応するランクインディケーター(RI)とプリコーディングマトリクスインディケーター(PMI)を確定し、RIとPMIを基地局へ送信することを含む。
ここで、RIとPMIを基地局へ送信した後、基地局でRIとPMIを取得し、RIとPMIにより、ダウンリンクプリコーディングを行うことを含む。
【００１６】
0005883867.tif 000009
【００１７】
0005883867.tif 000010
0005883867.tif 000011
【００１８】
0005883867.tif 000012
【００１９】
0005883867.tif 000013
0005883867.tif 000014
0005883867.tif 000015
【００２０】
0005883867.tif 000016
【００２１】
本発明のもう一態様によると、基地局を提供した。
本発明による基地局は、ランクインディケーター（RI）とプリコーディングマトリクスインディケータ（PMI）を取得するための第二取得モジュールと、RIとPMIによってダウンリンクプリコーディングを行うためのプリコーディングモジュール、とを含む。
【００２２】
本発明のもう一態様によると、LTE-Aシステムを提供した。このシステムは前記移動端末と前記基地局を提供した。
本発明によって、端末でチャネル情報を取得し、チャネル情報で、コードブックスペースでチャネル情報に対応するランクインディケーター（RI）とプリコーディングマトリクスインディケーター（PMI）を確定し、RIとPMIを基地局へ送信するという方法を取ることで、LTEシステムの4本アンテナのコードブックでは、8本アンテナを使用したLTE-Aシステムでのチャネル情報のフィードバックができない問題を解決し、更にLTE-Aシステムの処理能力とシステム周波数スペクトル効率を高める効果も実現した。
【図面の簡単な説明】
【００２３】
ここでの説明は本発明についての理解を深めるものとし、本発明の一部となる。本発明に使われた実施例及び説明は本発明を解釈するためのものであり、不当に限定するものではない。
【図１】本発明の実施例によるチャネル情報の送信方法を示すフローチャートである。
【図２】本発明の実施例による移動端末の構造を示すブロック図である。
【図３】本発明の実施例による基地局の構造を示すブロック図である。
【図４】本発明の実施例によるLTE-Aシステムの構造を示すブロック図である。
【発明を実施するための形態】
【００２４】
以下、図面を参照しながら、実施例に合わせて、本発明を詳しく説明する。矛盾しない場合、本発明に使われる実施例及び実施例の特徴は互いに結合することができる。
本発明の実施例により、チャネル情報の送信方法を提供した。図1は、本発明の実施例によるチャネル情報の送信方法のフローチャートである。図1に示すように以下を含む。
【００２５】
ステップＳ１０２、端末でチャネル情報を取得する。
ステップＳ１０４、チャネル情報でコードブックスペースでチャネル情報に対応するランクインディケーター（RI）とプリコーディングインディケーター（PMI）を確定する。
【００２６】
ステップＳ１０６、RIとPMIを基地局へ送信する。
前記ステップでは、端末で取得したチャネル情報を用いて、コードブックスペースで対応するRIとPMIを確定した後、基地局へ送信する。この方法を利用することで、関連技術で、LTEシステムの4本アンテナのコードブックスペースでは、8本アンテナを使用したLTE-Aシステムでのチャネル情報のフィードバックができない問題を解決し、更にLTE-Aシステムの処理能力とシステム周波数スペクトル効率を高める効果も実現した。
【００２７】
ステップＳ１０６の後、前記方法は、基地局でRIとPMIを取得し、RIとPMIを使ってダウンリンクプリコーディングを行うことが好ましい。該好適な実施例のプリコーディング操作を通じて、取得したRIとPMIで、LTE-Aシステムの周波数スペクトル効率を高める。
【００２８】
ステップＳ１０２は、移動端末では、ダウンリンクパイロット周波数によって、チャネルに対し想定し、チャネル情報を取得する。既存のチャネル予想技術を使えば、既存方法を変えずに実現でき、開発費用のコストダウンに繋がる。
前記コードブックスペースを移動端末と基地局両方で記憶することが好ましい。それで、チャネル情報の伝送の正確度を保証できる。
【００２９】
0005883867.tif 000017
0005883867.tif 000018
0005883867.tif 000019
【００３０】
0005883867.tif 000020
【００３１】
0005883867.tif 000021
0005883867.tif 000022
【００３２】
0005883867.tif 000023
【００３３】
0005883867.tif 000024
0005883867.tif 000025
0005883867.tif 000026
【００３４】
0005883867.tif 000027
0005883867.tif 000028
【００３５】
0005883867.tif 000029
【００３６】
0005883867.tif 000030
【００３７】
0005883867.tif 000031
【００３８】
0005883867.tif 000032
0005883867.tif 000033
【００３９】
0005883867.tif 000034
0005883867.tif 000035
【００４０】
0005883867.tif 000036
0005883867.tif 000037
【００４１】
0005883867.tif 000038
【００４２】
0005883867.tif 000039
【００４３】
0005883867.tif 000040
0005883867.tif 000041
【００４４】
0005883867.tif 000042
0005883867.tif 000043
0005883867.tif 000044
【００４５】
0005883867.tif 000045
【００４６】
0005883867.tif 000046
0005883867.tif 000047
【００４７】
0005883867.tif 000048
【００４８】
0005883867.tif 000049
【００４９】
本発明の実施例により、また、移動端末を提供した。図2は本発明の実施例による移動端末の構造図で、図2で示すように、チャネル情報を取得するための第一取得モジュール22と、第一モジュール22に接続、第一モジュール22で取得したチャネル情報を用いてコードブックスペースでチャネル情報に対応するランクインディケーター（RI）和プリコーディングマトリクスインディケーター（PMI）を確定するための確定モジュール24と、確定モジュール24に接続、確定モジュール24で確定したRIとPMIを基地局へ送信するための送信モジュール26、とを含む。以下、前記構造を詳しく記述する。
【００５０】
本発明の実施例により、また、基地局を提供した。図3は本発明の実施例による基地局の構造を示すブロック図で、該基地局は、RI和PMIを取得するための第二取得モジュール32と、第二取得モジュール32に接続、第一モジュール22で取得したRIとPMIを元に、ダウンリンクプリコーディングを行うプリコーディングモジュール34とを含む。
【００５１】
0005883867.tif 000050
0005883867.tif 000051
0005883867.tif 000052
0005883867.tif 000053
【００５２】
0005883867.tif 000054
【００５３】
0005883867.tif 000055
【００５４】
0005883867.tif 000056
【００５５】
0005883867.tif 000057
0005883867.tif 000058
0005883867.tif 000059
0005883867.tif 000060
【００５６】
当該好適な実施例により、Rank7（RI=7）の場合のコードブックスペースに基づいたチャネル情報のフィードバック方法を提供した。これで、Rank7の場合のシステムプリコーディング性能を高め、処理能力とシステム周波数スペクトル効率を向上する目的を果たす。
【００５７】
0005883867.tif 000061
【００５８】
0005883867.tif 000062
【００５９】
0005883867.tif 000063
【００６０】
0005883867.tif 000064
0005883867.tif 000065
0005883867.tif 000066
【００６１】
0005883867.tif 000067
【００６２】
0005883867.tif 000068
【００６３】
0005883867.tif 000069
【００６４】
0005883867.tif 000070
0005883867.tif 000071
0005883867.tif 000072
【００６５】
0005883867.tif 000073
0005883867.tif 000074
【００６６】
0005883867.tif 000075
【００６７】
0005883867.tif 000076
0005883867.tif 000077
【００６８】
0005883867.tif 000078
【００６９】
0005883867.tif 000079
【００７０】
0005883867.tif 000080
【００７１】
本発明の実施例により、またLTE-Aシステムを提供した。図4は本発明の実施例によったLTE-Aシステムの構造を示すブロック図である。図4に示すとおり、このシステムは図２に示された移動端末２と図３で示された基地局４を含む。具体的な構造が図２と図３のと同じなので、ここでは記述しない。
【００７２】
前記実施例によると、端末でチャネル情報を取得する。チャネル情報を用いてコードブックスペースでチャネル情報に対応するRIとPMIを確定する。RIとPMIを基地局に送信することで、LTEシステムの４本アンテナのコードブックでは、８本アンテナを使用したLTE-Aシステムでチャネル情報のフィードバックができない問題を解決した。更に、LTE-Aシステムの処理能力とシステム周波数スペクトル効率を向上することができた。
【００７３】
当業者にとって、上述の本発明の各ブロック又は各ステップは共通の計算装置によって実現することができ、単独の計算装置に集中させることができれば、複数の計算装置から構成されるネットワークに分布させることもでき、さらに計算装置が実行可能なプログラムのコードによって実現することもできるので、それらを記憶装置に記憶させて計算装置によって実行することができ、又は夫々集積回路ブロックに製作し、又はそれらにおける複数のブロック又はステップを単独の集積回路ブロックに製作して実現することができることは明らかなことである。このように、本発明は如何なる特定のハードウェアとソフトウェアの結合にも限定されない。
【００７４】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１】
0005883867.tif 000093
【図２】
0005883867.tif 000094
【図３】
0005883867.tif 000095
【図４】
0005883867.tif 000096